(57)【要約】【課題】本発明は、フレーム内周面のホイールの前側（ロータの前側）に溜まった破砕物を除去することができる破砕機を提供することを目的としている。【解決手段】本発明に係る破砕機は、チッパ刃４１の外径側端部４２を、ホイール２９の外周を越えてフレーム１１の内周面に近接する位置まで外径方向に延在させた。この破砕機２は、回転軸１２が回転すると、チッパ刃４１の外径側端部４２がフレーム１１内周面のホイール２９の前側（ロータ１３の前側）の部位ｓ２に溜まった破砕物を除去することができる。これにより、破砕物がフレーム１１内周面のホイール２９の前側の部位ｓ２に溜まることによる不具合が生じるのを抑止することができる。【選択図】　　　　　　図１
2004090557.tif 000002
【特許請求の範囲】
【請求項１】
前面に破砕する被加工物を投入する投入部を有し、周面又は後面に破砕した破砕物を排出する排出部を有する略円筒形状のフレームと、
前記フレームの中心部に軸方向に挿通した回転軸と、
前記回転軸と一体的に回転し、かつ、フレームの投入部から投入した被加工物を破砕する刃を前面に取り付けた円板状のホイールを備えたロータと、
前記ロータで破砕した破砕物をフレームの排出部から排出する排出手段とを備えた破砕機において、
前記ロータに、フレーム内周面のホイールの前側に溜まった破砕物を除去する除去部を設けたことを特徴とする破砕機。
【請求項２】
前記ホイールの前面に、ホイールの外周を越えてフレームの内周面に近接する位置まで延在したスクレーパを設けたことを特徴とする請求項１に記載の破砕機。
【請求項３】
前記除去部として、前記刃を、ホイールの外周を越えてフレームの内周面に近接する位置まで外径方向に延在した形状にしたことを特徴とする請求項１に記載の破砕機。
【請求項４】
前記除去部として、前記刃の外径端部に、ホイールの外周を越えてフレームの内周面に近接する位置まで延在したスクレーパを取り付けたことを特徴とする請求項１に記載の破砕機。
【請求項５】
前記ホイールの外周部に、ホイールの前面を越えてフレームの前面に近接する位置まで軸方向前方に延在したスクレーパを設けたことを特徴とする請求項１から４の何れかに記載の破砕機。
【発明の詳細な説明】
【０００１】
【発明の属する技術分野】
本発明は、樹木や剪定枝、家屋解体などで出た木質系産業廃棄物などをチップ状（おがくず状）に破砕する破砕機に関するものである。
【０００２】
【従来の技術】
破砕機は、廃棄樹木や剪定枝、木質系産業廃棄物などの被加工物をチップ状に破砕するものであり、樹木や剪定枝、木質系産業廃棄物を減容化するものである。廃棄樹木や剪定枝をチップ状に破砕処理した破砕物は、堆肥化し、土へ還元するリサイクルや、畜産堆肥の水分調整材などに利用することができる。
【０００３】
図４は、自走式破砕機１の全体を示す側面図である。図４中、２は破砕機、３は破砕機２を取り付けた自走台、４は駆動装置（例えば、エンジン）、５は破砕機２を操作する操作部である。図５は破砕機２の側断面図である。
【０００４】
破砕機２は、図５に示すように、自走台３に取り付けた略円筒形状のフレーム１１と、フレーム１１の中心部に軸方向に挿通した回転軸１２と、回転軸１２と一体的に回転し、フレーム１１の投入部から投入した被加工物（例えば、樹木）を破砕するロータ１３とを備えている。
【０００５】
フレーム１１は、図６に示すように、前面１４に被加工物を投入する投入部１５を備え、周面１６の上部後側に破砕した破砕物を排出する排出部１７を備えている。投入部１５には、図５に示すように、被加工物を支持する投入受台１８と、被加工物を投入部１５へ送る送り機構１９と、投入作業を補助するため投入部１５に向けて縮径したポッパ２０を取り付けている。また排出部１７には、破砕物の排出方向及び排出角度を調整することができる排出シュータ２１を取り付けている。フレーム１１は、図７に示すように、外周部に設けた蝶番２２を介して上部２３と下部２４を連結しており、上部２３を開けることができるようになっている。
【０００６】
回転軸１２は、図５に示すように、フレーム１１の前面１４と後面２５の中心部に取り付けた軸受２６、２７で回転自在に軸支したものであり、駆動装置４から動力を得て回転するようになっている。
【０００７】
ロータ１３は、図８に示すように、回転軸１２に固定し、回転軸１２と一体的に回転するようになっている。このロータ１３は、フレーム１１の投入部１５側（前面１４側）から軸方向に順に、被加工物を切断するチッパ刃２８を取り付けると共に慣性を増すための厚板円板状のホイール２９と、被加工物を破砕するシュレッダ刃３０と、破砕した被加工物を吸引して外周側に排出する排出手段としてのブロア３１とを備えている。ホイール２９とブロア３１の間には、ホイール２９とブロア３１を軸方向に連通し、かつ、少なくとも片端に抜け止め部材を取り付けた連通軸３２を取り付けている。
【０００８】
ホイール２９は、図６に示すように、フレーム１１の内径よりも少し小さい直径を有する円板状の部材であり、半径方向に所定幅で開口した略矩形の長孔３３を、ホイール２９の中心部を挟んで、直径に添って２つ形成したものである。チッパ刃２８は、ホイール２９の前面に、各長孔３３の回転方向後方側の側縁部に沿って取り付けている。ホイール２９は回転軸１２の回転に応じて回転し、チッパ刃２８で加工物を粗破砕する。ホイール２９の外周面にはスクレーパ３４が取り付けてある。
【０００９】
シュレッダ刃３０は、複数の刃を所定の間隔を開けて重ねたものであり、ホイール２９とブロア３１を連通する連通軸３２に、回転自在に一端を取り付けたものである。このシュレッダ刃３０により、チッパ刃２８で破砕された粗破砕物をさらに細かくチップ状に破砕することができるようになっている。
【００１０】
ブロア３１は、回転軸１２の回転に伴い、軸方向前方から破砕物を吸引して、外径方向に排出するように複数の羽根３５を取り付けたものである。このブロア３１は、回転軸１２の回転に伴い、フレーム内１１の空気を吸気し、フレーム１１の前面に設けた投入部１５から、ロータ１３のホイール２９に設けた長孔３３又はフレーム１１の内周面とホイール２９の外周面との間の隙間ｓ１を通り、ホイール２９の前面側から後面側に流れ、かつ、フレーム１１の排出部１７、排出シュータ２１を通って外部に排気される空気の流れを形成する。
【００１１】
この破砕機２は、フレーム１１前面の投入部１５に投入した被加工物を、まずチッパ刃２８で粗く破砕する。そして、チッパ刃２８で破砕した粗破砕物を、ブロア３１の吸引力により、ホイール２９の長孔３３から吸い込んでホイール２９の後方に送り、シュレッダ刃３０で細かくチップ状に破砕する。シュレッダ刃３０で細かく破砕した破砕物は、ブロア３１で吸引してフレーム１１の排出部１７、排出シュータ２１を通して外部に排出する。
【００１２】
チッパ刃２８で破砕した粗破砕物は、ブロア３１の吸引力により、フレーム１１の内周面とホイール２９の外周面との隙間ｓ１（図５参照）に詰まることがあるが、フレーム１１の内周面とホイール２９の外周面との隙間ｓ１に詰まった粗破砕物は、ホイール２９の外周面に取り付けたスクレーパ３４により除去することができるようになっている。
【００１３】
なお、上述した破砕機は、出願人が現在実施しているものの一例であるが、その構造を示す先行技術文献はない。同種の破砕機の一般的な技術水準を示す先行技術文献には、例えば、以下の特許文献１、２がある。
【００１４】
【特許文献１】特開２００１−２７６６４１号公報
【特許文献２】特開平０９−１９３１０７号公報
【００１５】
【発明が解決しようとする課題】
上述した破砕機２は、図５に示すように、チッパ刃２８で破砕した粗破砕物が、フレーム１１内周面のホイール２９の前側（ロータ１３の前側）の部位ｓ２に溜まる場合がある。
【００１６】
このような部位ｓ２に溜まった粗破砕物はスクレーパ３４では除去することができない。フレーム１１内周面のホイール２９の前側の部位ｓ２に溜まった粗破砕物は次第に大きな塊となり、フレーム１１内周面のホイール２９の前側において、フレーム１１の内周面とチッパ刃２８との間などに詰まったり、フレーム１１の内周面とホイール２９の外周面との隙間ｓ１を全周にわたって覆ったりする場合がある。特に、竹材などの繊維質の被加工物を破砕する場合には、粗破砕物が絡み合って大きな塊になり易く問題であった。このように、フレーム１１内周面のホイール２９の前側の部位ｓ２に粗破砕物が溜まると、ロータ１３の回転抵抗が高くなり、ロータ１３の回転に必要なトルクが増大したり、ロータ１３の回転数の低下したりする。また、フレーム１１内の空気の流れが悪くなりブロア３１の能力が低下したりする場合があった。
【００１７】
このような不具合が生じた場合は、上述した破砕機２では、フレーム１１の上部２３を開けて、フレーム１１内周面のロータ１３の前側の部位ｓ２に溜まった破砕物を除去すれば、不具合を解消することができるのであるが、使用者にとっては面倒な作業であった。
【００１８】
このような不具合は、上述した破砕機２だけでなく、略円筒形状のフレームと、フレームの投入部から投入した被加工物を破砕するロータを備えている同種の破砕機にも生じる可能性がある。
【００１９】
そこで、本発明は、フレーム内周面のホイールの前側（ロータの前側）に溜まった破砕物を除去することができる破砕機を提供することを目的としている。
【００２０】
【課題を解決するための手段】
本発明に係る破砕機は、前面に破砕する被加工物を投入する投入部を有し、周面又は後面に破砕した破砕物を排出する排出部を有する略円筒形状のフレームと、前記フレームの中心部に軸方向に挿通した回転軸と、前記回転軸と一体的に回転し、かつ、フレームの投入部から投入した被加工物を破砕する刃を前面に取り付けた円板状のホイールを備えたロータと、前記ロータで破砕した破砕物をフレームの排出部から排出する排出手段とを備えた破砕機において、前記ロータに、フレーム内周面のホイールの前側に溜まった破砕物を除去する除去部を設けたことを特徴としている。
【００２１】
この破砕機によれば、回転軸と一体的に回転する除去部により、フレーム内周面のホイールの前側に溜まった破砕物を除去することができるので、破砕物がフレーム内周面のホイールの前側に溜まることによる不具合が生じるのを抑止することができる。
【００２２】
除去部としては、例えば、ホイールの前面に、ホイールの外周を越えてフレームの内周面に近接する位置まで延在したスクレーパを設けるとよい。例えば、ホイールの前面に取り付けた刃を、ホイールの外周を越えてフレームの内周面に近接する位置まで外径方向に延在した形状にしたり、ホイールの前面に取り付けた刃の外径端部に、ホイールの外周を越えてフレームの内周面に近接する位置まで延在したスクレーパを取り付けたりするとよい。
【００２３】
また、例えば、ホイールの外周部に、ホイールの前面を越えてフレームの前面に近接する位置まで軸方向前方に延在したスクレーパを設けるとよい。
【００２４】
【発明の実施の形態】
以下、本発明の実施の形態に係る破砕機を図面に基づいて説明する。なお、上述した破砕機２と同じ構成、作用を奏する部材、部位には同一の符号を付し、重複する説明は省略する。
【００２５】
この実施形態に係る破砕機２は、図１に示すように、基本構成は、上述した破砕機２と同じである。
【００２６】
この破砕機２のチッパ刃４１は、外径側端部４２がホイール２９の外周を越えてフレーム１１の内周面に近接する位置まで外径方向に延在した形状を有している。詳しくは、このチッパ刃４１は、両側に刃４３、４４がついており、使用により片側の刃４３が摩耗したときには、チッパ刃４１を１８０°回転させて取り付け、反対側の刃４４を使うことができるようになっている。このため、チッパ刃４１の外径側端部４２は、フレーム１１の内周面に近接する位置まで外径方向に延在した形状とし、かつ、チッパ刃４１を１８０°回転させて取り付ける場合に、チッパ刃４２の両端が回転軸１２と干渉しないように角を切り落とした点対称形状にしている。
【００２７】
この破砕機２は、回転軸１２が回転すると、チッパ刃４１の外径側端部４２によって、フレーム１１内周面のホイール２９の前側（ロータ１３の前側）の部位ｓ２に溜まった破砕物を除去することができる。これにより、破砕物がフレーム１１内周面のホイール２９の前側の部位ｓ２に溜まることによる不具合が生じるのを抑止することができる。
【００２８】
以上、本発明の実施形態に係る破砕機を説明したが、図２に示すように、チッパ刃２８の形状を変えずに、チッパ刃２８の外径側端部に、ホイール２９の外周を越えてフレーム１１の内周面に近接する位置まで延在したスクレーパ４５を取り付けてもよい。
【００２９】
また、このホイール２９の外周を越えてフレーム１１の内周面に近接する位置まで延在したスクレーパ４５は、チッパ刃２８の外径側端部に限定されず、ホイール２９の前面の任意の位置に取り付けてもよい。
【００３０】
また、図３に示すように、前側の端部４６が、ホイール２９の前面を越えてフレーム１１の前面に近接する位置まで軸方向前方に延在したスクレーパ４７をホイール２９の外周部に装着してもよい。このようなスクレーパ４７は、ホイール２９の外周面の任意の位置に取り付けることができる。また、ホイール２９の外周を越えてフレーム１１の内周面に近接する位置まで延在した第１のスクレーパと、前側の端部がホイールの前面を越えてフレームの前面に近接する位置まで軸方向前方に延在した第２のスクレーパを両方取り付けてもよい。また、スクレーパは、回転方向前方側に刃を設けて、粗破砕物を切断除去できるようにしてもよい。
【００３１】
以上、本発明の実施の形態に係る破砕機を説明したが、本発明は、上記実施形態に限らず、略円筒形状のフレームに、フレームの投入部から投入した被加工物を破砕するロータを備えている同種の破砕機にも適用することができる。また、上記の実施形態では、フレームの排出部が、フレームの周面にあるものを例示したが、フレームの排出部はフレームの後面にあってもよい。また、除去部としては、例えば、ホイールの前面（ロータの前面）に、フレーム内周面のホイールの前側（ロータの前側）の部位に延在した突起状のスクレーパを設けてもよい。
【００３２】
【発明の効果】
本発明に係る破砕機は、回転軸と一体的に回転し、フレームの投入部から投入した被加工物を破砕する刃を前面に取り付けた円板状のホイールを備えたロータに、フレーム内周面のホイールの前側に溜まった破砕物を除去する除去部を設けたので、回転軸と一体的に回転する除去部により、フレーム内周面のホイールの前側に溜まった破砕物を除去することができ、破砕物がフレーム内周面のホイールの前側に溜まることによる不具合が生じるのを抑止することができる。
【図面の簡単な説明】
【図１】本発明の実施の形態に係る破砕機のロータを示す正断面図。
【図２】本発明の他の実施の形態に係る破砕機のロータを示す正断面図。
【図３】本発明の他の実施の形態に係る破砕機のロータを示す平断面図。
【図４】自走式破砕機を示す側面図。
【図５】破砕機の側断面図。
【図６】破砕機の正面図。
【図７】破砕機のフレームの上部を開けた状態を示す破砕機の正面図。
【図８】破砕機のロータを示す側面図。
【符号の説明】
２　破砕機
１１　フレーム
１２　回転軸
１３　ロータ
１５　投入部
１７　排出部
２８　チッパ刃
２９　ホイール
３０　シュレッダ刃
３１　ブロア
３３　長孔
３４　スクレーパ
４１　チッパ刃
４２　外径側端部
４５　スクレーパ
４７　スクレーパ
ｓ２　フレーム内周面のロータの前側の部位
【図１】
2004090557.tif 000003
【図２】
2004090557.tif 000004
【図３】
2004090557.tif 000005
【図４】
2004090557.tif 000006
【図５】
2004090557.tif 000007
【図６】
2004090557.tif 000008
【図７】
2004090557.tif 000009
【図８】
2004090557.tif 000010